(57)【特許請求の範囲】
【請求項１】
予め定めた判定基準であるフィルタリング定義をもとにＷｅｂページの表示を禁止するか否かを判定するために、複数のユーザ端末各々に備えられたフィルタリング装置を、一括して管理するフィルタリング管理サーバが実行するフィルタリング管理方法であって、
前記フィルタリング装置を特定する識別情報を記憶するサポート対象者記憶手段へアクセスする処理過程と、
前記フィルタリング管理サーバに備えられて、前記フィルタリング装置で使用されるフィルタリング定義を記憶するフィルタリング定義記憶手段へアクセスする処理過程と、
前記フィルタリング装置のうちの一のフィルタリング装置から、ユーザによって変更された当該フィルタリング定義の更新情報を受信する処理過程と、
前記更新情報を用いて前記フィルタリング定義記憶手段で記憶するフィルタリング定義を更新する処理過程と、
前記サポート対象者記憶手段に記憶された識別情報を参照して、前記一のフィルタリング装置以外のフィルタリング装置へ前記更新情報を送信する処理過程とを備える
ことを特徴とするフィルタリング管理方法。
【請求項２】
請求項１記載のフィルタリング管理方法であって、
前記サポート対象者記憶手段は、前記フィルタリング装置を所定のグループに分類した情報を記憶し、
前記フィルタリング定義記憶手段は、前記グループごとに前記フィルタリング定義を記憶し、
前記フィルタリング定義を更新する処理過程では、前記一のフィルタリング装置から所属するグループと前記フィルタリング定義の更新情報とを受信し、  前記更新情報を用いて前記フィルタリング定義記憶手段で記憶する前記グループのフィルタリング定義を更新し、
前記更新情報を送信する処理過程では、前記サポート対象者記憶手段を参照して前記グループに属するフィルタリング装置へ前記更新情報を送信する
ことを特徴とするフィルタリング管理方法。
【請求項３】
請求項１または請求項２のいずれかに記載のフィルタリング管理方法において、
前記一のフィルタリング装置から前記更新情報を受信した場合に、少なくとも当該受信日時および前記更新情報の送信元のフィルタリング装置を特定する情報を含む情報提供ログ情報を出力する処理過程を備える
ことを特徴とするフィルタリング管理方法。
【請求項４】
請求項１から請求項３までのいずれか一の請求項に記載されたフィルタリング管理方法を実現する処理過程を、コンピュータに実行させるためのフィルタリング管理プログラム。
【請求項５】
フィルタリング管理サーバによって更新管理されるフィルタリング定義をもとにＷｅｂページの表示を禁止するか否かを判定するフィルタリング装置が実行するフィルタリング管理方法であって、
前記フィルタリング定義を記憶するフィルタリング定義記憶手段へアクセスする処理過程と、
ユーザ操作にもとづいて前記フィルタリング定義を更新し、前記更新した情報である更新情報を生成する処理過程と、
前記更新情報に自フィルタリング装置を特定する識別情報を付与して前記フィルタリング管理サーバへ送信する処理過程とを備える
ことを特徴とするフィルタリング装置のフィルタリング管理方法。
【請求項６】
請求項５に記載されたフィルタリング装置によるフィルタリング管理方法を実現する処理過程を、コンピュータに実行させるためのフィルタリング装置用フィルタリング管理プログラム。
【発明の詳細な説明】
【０００１】
【発明の属する技術分野】
本発明は、インターネット上で流通する有害と考えられる情報を含むＷｅｂページの表示を制限するフィルタリング装置を管理するフィルタリング管理方法およびその管理方法をコンピュータに実行させるためのフィルタリング管理プログラムとに関する。
【０００２】
【従来の技術】
インターネット上では誰でも情報を提供することができる。インターネット上に流通する情報については、自己責任において取捨選択するという原則が存在するのみで、責任の所在が明確ではない。そのため、人々の知識発展に貢献する情報と違法性が高い情報や有害と考えられる情報とが混在して流通しており、インターネットを利用する上で問題となっている。特に、児童、学生などの未成年者がインターネットを利用する場合に、社会的な問題となっている。
【０００３】
そのため、違法性が高い情報や一般的に有害と考えられる情報（以下、有害情報という）の閲覧を的確に制限できる技術が所望されている。
【０００４】
従来技術では、有害情報の閲覧を制限するために、インターネット上の情報とインターネットの利用者との間に、特定のＷｅｂページの表示を制限するフィルタリング装置を設置している。
【０００５】
一般的に、フィルタリング装置は、所定の規則にもとづいて、アクセスしたＷｅｂページが有害であると判定した場合に、そのＷｅｂページの表示を禁止することにより、利用者が有害情報を閲覧できないようにしている。
【０００６】
Ｗｅｂページの表示を禁止する方法には以下のようなものがある。
【０００７】
１）有害語句リストを用いた表示禁止
例えば、「１８歳未満の閲覧禁止」、「殺人」など、Ｗｅｂページに含まれる有害な情報を表しているとされる語や語句を有害語句リストに登録しておく。そして、フィルタリング装置は、利用者がアクセス先として指定したＷｅｂページの語や語句を検索し、有害語句リストに登録された語や語句がある程度の頻度で出現していると判断した場合には、当該Ｗｅｂページは有害情報を含むものとみなして当該Ｗｅｂページの表示を禁止する。
【０００８】
２）有害コンテンツＵＲＬリストを用いた表示禁止
有害情報が掲載されていると評価されたＷｅｂページのＵＲＬ（Uniform Resource Locator）やアドレスを有害コンテンツＵＲＬリストに登録しておく。そして、フィルタリング装置は、利用者がアクセス先として指定したＷｅｂページのＵＲＬやアドレスが有害コンテンツＵＲＬリスト、いわゆるブラックリストに登録されているものであると判定した場合には、当該Ｗｅｂページを有害情報とみなして当該Ｗｅｂページの表示を禁止する。
【０００９】
３）格付け不適合ページ情報を用いた表示禁止
例えば、電子ネットワーク評議会などが導入を進めているＰＩＣＳ（Platform for Internet Content Selection ）が提供する格付け基準を用いてＷｅｂページの制作者がＷｅｂページの性質を自己申告する制度を利用する。
【００１０】
すなわち、Ｗｅｂページ制作者は、ＨＴＭＬに格付け用タグを用いてＰＩＣＳの格付け情報を付与し、当該Ｗｅｂページが例えば未成年者などの特定者に対して不適合である旨の情報を付与しておく。そして、フィルタリング装置は、利用者がアクセス先として指定したＷｅｂページのＨＴＭＬ内に該当する格付け情報（不適合）を検出した場合には、当該Ｗｅｂページを有害情報とみなして当該Ｗｅｂページの表示を禁止する。
【００１１】
４）優良コンテンツＵＲＬリストを用いた表示許可
例えば、子ども向けの性教育ページなど、１）の有害語句リストに登録された語や語句を含み、通常であれば表示禁止の対象と判定されてしまうが、内容的に有害情報には該当しない情報が掲載されていると評価したＷｅｂページのＵＲＬ（Uniform Resource Locator）やアドレスを優良コンテンツＵＲＬリストに登録しておく。そして、フィルタリング装置は、利用者がアクセス先として指定したＷｅｂページのＵＲＬやアドレスが優良コンテンツＵＲＬリスト、いわゆるホワイトリストに登録されているものであれば、当該Ｗｅｂページを優良なものとみなして当該Ｗｅｂページの表示を許可する。
【００１２】
【発明が解決しようとする課題】
しかしながら、前記１）の有害語句リストを用いた表示禁止の手法では、例えば「死ね」を「四ね」と表記することで語句検索を回避できるため、表記上有害語句には該当しない語句を用いた有害情報を含むＷｅｂページの表示を禁止することができない。また、テキスト形式以外のイメージデータや音声データが有害情報であるか否かをチェックすることができない。
【００１３】
また、前記２）の有害コンテンツＵＲＬリストを用いた表示禁止の手法では、教師や弁護士などの有識者が、いちいちＷｅｂページの内容の有害性を評価検討してリストに登録している。毎日膨大な数のＷｅｂページが登録される現状では常に新しいＷｅｂページを評価し続けなければならず作業負担が大きい。また、有害コンテンツＵＲＬリストに登録されるまでは有害情報を含むＷｅｂページが表示されてしまう。このため、特定の少数者の人手に依存せざるを得ないかかる手法は信頼性はあるが効率的ではない。
【００１４】
また、前記３）の格付け不適合ページ情報を用いた表示禁止の手法では、原則的にＷｅｂページ制作者の自己申告にもとづく自主規制であるため、信頼性に欠ける面もある。また、閲覧者がＷｅｂページの内容を評価して格付け情報を変更することができるが、前記２）と同様に、格付けが変更されるまでは、有害情報を含むＷｅｂページが表示されてしまう。
【００１５】
従来の方法のように、表示禁止の判断基準となるＷｅｂページの評価作業を特定者が行う現状では、評価作業の負担がますます増加している。また、インターネット上には膨大な量のＷｅｂページが存在するために、契約や委託された特定者の人手によってのみ評価を行うのは非効率的である。
【００１６】
本発明は、かかる問題を解決するためのものであり、その目的とするところは、Ｗｅｂページの表示を禁止するか否かの判定に用いる評価基準を効率的に収集し、インターネット上の有害情報を的確に表示禁止することができるフィルタリング管理方法を提供することである。
【００１７】
また、本発明の目的は、かかるフィルタリング管理方法をコンピュータに実行されるためのプログラムを提供することである。
【００１８】
【課題を解決するための手段】
上記の目的を達成するため、本発明は、フィルタリング・サービスの提供者が、フィルタリング装置でＷｅｂページ表示禁止の判定の基準とするフィルタリング定義を一方的に収集してフィルタリング装置へ配布するだけでなく、配布したフィルタリング定義の更新情報をフィルタリング装置の利用者からフィルタリングを管理するサーバへフィードバックできるフィルタリング管理方法を実現するものである。
【００１９】
本発明は、予め定めた判定基準であるフィルタリング定義をもとにＷｅｂページの表示を禁止するか否かを判定するために、複数のユーザ端末各々に備えられたフィルタリング装置を、一括して管理するフィルタリング管理サーバが実行するフィルタリング管理方法であって、前記フィルタリング装置を特定する識別情報を記憶するサポート対象者記憶手段へアクセスする処理過程と、
前記フィルタリング管理サーバに備えられて、前記フィルタリング装置で使用されるフィルタリング定義を記憶するフィルタリング定義記憶手段へアクセスする処理過程と、前記フィルタリング装置のうちの一のフィルタリング装置から、ユーザによって変更された当該フィルタリング定義の更新情報を受信する処理過程と、前記更新情報を用いて前記フィルタリング定義記憶手段で記憶するフィルタリング定義を更新する処理過程と、前記サポート対象者記憶手段に記憶された識別情報を参照して、前記一のフィルタリング装置以外のフィルタリング装置へ前記更新情報を送信する処理過程とを備える。
【００２０】
また、本発明は、前記の構成において、前記サポート対象者記憶手段は、前記フィルタリング装置を所定のグループに分類した情報を記憶し、前記フィルタリング定義記憶手段は、前記グループごとに前記フィルタリング定義を記憶し、前記フィルタリング定義を更新する処理過程では、前記一のフィルタリング装置から所属するグループと前記フィルタリング定義の更新情報とを受信し、前記更新情報を用いて前記フィルタリング定義記憶手段で記憶する前記グループのフィルタリング定義を更新し、前記更新情報を送信する処理過程では、前記サポート対象者記憶手段を参照して前記グループに属するフィルタリング装置へ前記更新情報を送信することを特徴とする。
【００２１】
さらに、本発明のフィルタリング管理方法は、前記の処理過程を備える場合において、前記一のフィルタリング装置から前記更新情報を受信した場合に、少なくとも当該受信日時、前記更新情報の送信先のフィルタリング装置を特定する情報を含む情報提供ログ情報を出力する処理過程を備える。
【００２２】
また、本発明は、前記の処理過程を備えるフィルタリング管理方法を実現するステップを、コンピュータに実行させるためのフィルタリング管理プログラムである。
【００２３】
また、本発明は、フィルタリング管理サーバによって更新管理されるフィルタリング定義をもとにＷｅｂページの表示を禁止するか否かを判定するフィルタリング装置が実行するフィルタリング管理方法であって、
前記フィルタリング定義を記憶するフィルタリング定義記憶手段へアクセスする処理過程と、
ユーザ操作にもとづいて前記フィルタリング定義を更新し、前記更新した情報である更新情報を生成する処理過程と、
前記更新情報に自フィルタリング装置を特定する識別情報を付与して前記フィルタリング管理サーバへ送信する処理過程とを備える。
【００２４】
また、本発明は、前記のフィルタリング装置によるフィルタリング管理方法を実現するステップを、コンピュータに実行させるためのフィルタリング装置用フィルタリング管理プログラムである。
【００２５】
本発明は、以下のように作用する。すなわち、フィルタリング管理サーバは、フィルタリング装置に対し、予めフィルタリング定義を配布しておく。そして、利用者が当該フィルタリング定義を用いたフィルタリング装置を使用してインターネット上のＷｅｂページを閲覧し、閲覧したＷｅｂページが有害であると評価した場合には、例えば当該ＷｅｂページのＵＲＬをフィルタリング定義に追加することでフィルタリング定義を更新する。そして、更新処理されたフィルタリング定義の差分情報を自己の署名とともにフィルタリング管理サーバへ送信する。そして、フィルタリング管理サーバは、当該更新情報をフィルタリング定義記憶手段のフィルタリング定義に反映させ、さらに、フィルタリング定義の更新情報を他のフィルタリング装置へ送信する。
【００２６】
また、フィルタリング装置から更新情報を受信した場合には、フィルタリング管理サーバは、受信日時、送信元のフィルタリング装置を特定する情報などの情報提供ログ情報を取得して、情報提供のインセンティブに利用できるようにする。例えば、情報提供ログ情報を出力できるようにして、かかる情報提供ログ情報をもとに、フィルタリング・システムの利用料金やフィルタリング定義の更新情報の再配布料金などを減額したりする。
【００２７】
これにより、少数の特定者のみがＷｅｂページを評価してフィルタリング定義を更新するのではなく、フィルタリング装置の利用者それぞれが、フィルタリング定義を更新し続けることが可能となる。このため、フィルタリング定義の更新情報が広範囲から、かつ、迅速に収集されるようになる。
【００２８】
さらに、フィルタリング定義の更新情報がフィルタリング管理サーバから他のフィルタリング装置へ直ちに再配布されるため、フィルタリング装置はＷｅｂページの判断を的確に行うことができるようになる。
【００２９】
なお、本発明の各処理過程をコンピュータに実行させるためのプログラムは、コンピュータが読み取り可能な、可搬媒体メモリ、半導体メモリ、ハードディスクなどの適当な記録媒体に格納することができ、これらの記録媒体に記録して提供され、または、通信インタフェースを介して種々の通信網を利用した送受信により提供される。
【００３０】
【発明の実施の形態】
図１に、本発明の実施の形態におけるシステム構成例を示す。
【００３１】
本発明を実施するシステムは、フィルタリング管理サーバ１と、情報提供者端末２のフィルタリング装置２０とサポート対象者端末３のフィルタリング装置３０とから構成される。
【００３２】
フィルタリング管理サーバ１は、フィルタリング装置２０、３０において実行される有害判定処理の基準となるフィルタリング定義を管理するサーバである。フィルタリング管理サーバ１は、ネットワーク４を通じて、情報提供者端末２から更新されたフィルタリング定義もしくはフィルタリング定義更新処理の差分情報などの更新に関する情報（以下、フィルタリング定義更新情報という。）を受信し、フィルタリング定義更新情報をフィルタリング定義ＤＢ１６へ反映させ、さらにこのフィルタリング定義更新情報をサポート対象者端末３のフィルタリング装置３０へ送信する。
【００３３】
情報提供者端末２のフィルタリング装置２０は、フィルタリング管理サーバ１から提供されたフィルタリング定義をもとにフィルタリングを実行し、かつ、自己の更新処理に関するフィルタリング定義更新情報をフィルタリング管理サーバ１へネットワーク４を通じて送信する装置である。
【００３４】
サポート対象者端末３のフィルタリング装置３０は、ネットワーク４を通じてフィルタリング管理サーバ１から提供されたフィルタリング定義更新情報を受信し、受信したフィルタリング定義更新情報を用いて更新したフィルタリング定義をもとにフィルタリングを実行する装置である。
【００３５】
ここでネットワーク４とは、ＬＡＮ、ＷＡＮなど、データ通信を行うための有線網もしくは無線網を意味する。
【００３６】
フィルタリング管理サーバ１は、フィルタリング定義受信手段１１と、フィルタリング・データベース（ＤＢ）更新手段１２と、更新情報送信手段１３と、情報提供者データベース（ＤＢ）１４と、情報提供ログ情報データベース（ＤＢ）１５と、フィルタリング定義データベース（ＤＢ）１６と、サポート対象者データベース（ＤＢ）１７から構成される。
【００３７】
フィルタリング定義受信手段１１は、情報提供者ＤＢ１４に予め登録された情報提供者端末２のフィルタリング装置２０からフィルタリング定義更新情報を受信する手段である。また、フィルタリング定義受信手段１１は、フィルタリング定義更新情報の受信にかかる情報提供ログ情報を生成し情報提供ログ情報ＤＢ１５へ記憶する。
【００３８】
フィルタリングＤＢ更新手段１２は、フィルタリング定義受信手段１１で受信したフィルタリング定義更新情報をフィルタリング定義ＤＢ１６へ反映させる手段である。
【００３９】
更新情報送信手段１３は、フィルタリング定義ＤＢ１６が更新された場合に、当該更新に関するフィルタリング定義更新情報を、サポート対象者ＤＢ１７に登録されたサポート対象者端末３のフィルタリング装置３０へ送信する手段である。
【００４０】
情報提供者ＤＢ１４は、フィルタリング定義ＤＢ１６のフィルタリング定義更新情報の提供者を記憶し管理するデータベースである。
【００４１】
図２に、情報提供者ＤＢ１４のデータ構成例を示す。情報提供者ＤＢ１４は、情報提供の契約を締結している情報提供者の識別情報である契約者ＩＤと、その契約期間Ｔと、情報提供者（契約者）が所属する所属グループＧｒとを項目とするデータレコード１４０を格納する。
【００４２】
契約者ＩＤは、情報提供者端末２を一意に特定する情報である。契約者ＩＤとして、例えば電子メールアドレスを採用してもよい。一意に特定する他の情報を採用したときは、契約者ＩＤと電子メールアドレスとを管理するテーブルを別途用意する。
【００４３】
所属グループＧｒには、予め定められたグループ分けに従って、情報提供者端末２の利用者が所属するグループ、例えば、小学校教諭、中学校教諭、児童をもつ親などのグループが設定される。
【００４４】
情報提供ログ情報ＤＢ１５は、情報提供者端末２のフィルタリング装置２０からフィルタリング定義更新情報が送信された場合に、受信日時、送信元の情報提供者端末２を特定する情報（契約者ＩＤ）、送信されたフィルタリング定義更新情報などを記憶し管理するデータベースである。
【００４５】
フィルタリング定義ＤＢ１６は、サポート対象者端末３のフィルタリング装置３０へ配布するフィルタリング定義を記憶し管理するデータベースである。
【００４６】
図３に、フィルタリング定義ＤＢ１６のデータ構成例を示す。フィルタリング定義ＤＢ１６は、所定の所属グループＧｒごとに、有害語句リスト１６１と、有害コンテンツＵＲＬリスト１６２と、格付け不適合ページ情報リスト１６３と、優良コンテンツＵＲＬリスト１６４とから構成されるフィルタリング定義１６０を格納する。
【００４７】
有害語句リスト１６１は、有害な情報を表しているとされる語や語句などを格納するリストである。有害コンテンツＵＲＬリスト１６２は、有害であると評価されたＷｅｂページのＵＲＬやアドレスを格納するリストである。格付け不適合ページ情報リスト１６３は、例えば、ＰＩＣＳが提供する格付け基準で設定されている閲覧不適合の格付けに該当するタグ情報を格納するリストである。優良コンテンツＵＲＬリスト１６４は、有害語句リスト１６１に含まれる語や語句を含み、通常であれば表示禁止の対象と判定されてしまうが、内容的に有害ではないと評価されたＷｅｂページのＵＲＬやアドレスを格納するリストである。フィルタリング定義ＤＢ１６の各リストは、従来のフィルタリングで用いるものと同様のリストであってよい。
【００４８】
サポート対象者ＤＢ１７は、フィルタリング定義ＤＢ１６が更新された場合に、そのフィルタリング定義更新情報の配布先であるサポート対象者端末３を記憶し管理するデータベースである。
【００４９】
図４に、サポート対象者ＤＢ１７のデータ構成例を示す。サポート対象者ＤＢ１７は、サポート対象者端末３を一意に特定する情報である契約者ＩＤと、その契約期間Ｔと、サポート対象者（契約者）が所属する所属グループＧｒとを項目とするデータレコード１４０を格納する。所属グループＧｒは、情報提供者ＤＢ１４のデータレコード１４０に格納される所属グループＧｒと同一のグループ分けにより、小学校教諭、中学校教諭、児童をもつ親などのグループが設定される。
【００５０】
情報提供者端末２のフィルタリング装置２０は、フィルタリング定義更新手段２１とフィルタリング定義送信手段２２とフィルタリング定義記憶手段２３とを備える。
【００５１】
フィルタリング定義更新手段２１は、利用者が入力したデータにもとづいてフィルタリング定義記憶手段２３の内容を更新する手段である。
【００５２】
フィルタリング定義送信手段２２は、フィルタリング定義更新手段２１でされた更新処理に関するフィルタリング定義更新情報に自己の情報提供者端末２を示す情報（契約者ＩＤ）を付与してフィルタリング管理サーバ１へ送信する手段である。
【００５３】
フィルタリング定義記憶手段２３は、フィルタリング装置２０でのフィルタリングに用いる判定基準データであるフィルタリング定義（ファイル）を記憶する記憶手段である。フィルタリング定義の内容は、フィルタリング定義ＤＢ１６のフィルタリング定義１６０のうち情報提供者端末２のユーザが所属する所属グループＧｒに関連するデータと同一のものである。
【００５４】
サポート対象者端末３のフィルタリング装置３０は、フィルタリング定義更新手段３１と更新情報受信手段３２とフィルタリング定義記憶手段３３とを備える。
【００５５】
フィルタリング定義更新手段３１は、フィルタリング管理サーバ１から受信したフィルタリング定義更新情報にもとづいてフィルタリング定義記憶手段３３の内容を更新する手段である。
【００５６】
更新情報受信手段３２は、ネットワーク４を通じてフィルタリング管理サーバ１からフィルタリング定義更新情報を受信する手段である。
【００５７】
フィルタリング定義記憶手段３３は、フィルタリング定義記憶手段２３と同様にフィルタリング定義（ファイル）を記憶する手段である。
【００５８】
図５に、本発明の処理の流れを示す。
【００５９】
情報提供者端末２のフィルタリング装置２０では、フィルタリング定義更新手段２１が、従来と同様、ユーザの入力データにもとづいてフィルタリング定義記憶手段２３に記憶されたフィルタリング定義を更新する（ステップＳ１１）。更新終了後、フィルタリング定義送信手段２２は、更新処理に関するフィルタリング定義更新情報に情報提供者端末２の契約者ＩＤを付与してフィルタリング管理サーバ１へ送信する（ステップＳ１２）。
【００６０】
フィルタリング管理サーバ１では、フィルタリング定義受信手段１１が契約者ＩＤ付きのフィルタリング定義更新情報を受信する（ステップＳ２１）。さらに、情報提供者ＤＢ１４を参照して当該契約者ＩＤが登録されているかどうかを確認する（ステップＳ２２）。当該契約者ＩＤが情報提供者ＤＢ１４のデータレコード１４０と合致していれば、当該契約者ＩＤに対応付けられている所属グループＧｒを抽出し、抽出した所属グループＧｒとフィルタリング定義更新情報とをフィルタリングＤＢ更新手段１２へ渡す。また、フィルタリング定義受信手段１１は、受信処理のログとして、受信日時、送信元の契約者ＩＤ、送信されたフィルタリング定義更新情報などの情報提供ログ情報を情報提供ログ情報ＤＢ１５へ記憶する（ステップＳ２３）。
【００６１】
フィルタリングＤＢ更新手段１２は、受け取った所属グループＧｒに該当するフィルタリング定義１６０にフィルタリング定義更新情報を反映させることでフィルタリング定義ＤＢ１６を更新する（ステップＳ２３）。
【００６２】
そして、更新情報送信手段１３は、フィルタリング定義ＤＢ１６が更新されると、サポート対象者ＤＢ１７のデータレコード１７０を参照して、更新された所属グループＧｒに属するサポート対象者端末３の契約者ＩＤを抽出する（ステップＳ２４）。そして、更新情報送信手段１３は、更新にかかるフィルタリング定義更新情報を、抽出した契約者ＩＤをもとにサポート対象者端末３へ送信する（ステップＳ２５）。
【００６３】
サポート対象者端末３の更新情報受信手段３２は、フィルタリング管理サーバ１から受信したフィルタリング定義更新情報を受信し（ステップＳ３１）、フィルタリング定義更新手段３１は、受信したフィルタリング定義更新情報にもとづいてフィルタリング定義記憶手段３３のフィルタリング定義を更新する（ステップＳ３２）。
【００６４】
このようにして、フィルタリング・サービスの提供を受ける利用者であって情報提供の契約を結ぶ者の情報提供者端末２で更新されたフィルタリング定義は、フィルタリング管理サーバ１を介して他の多数の利用者のサポート対象者端末３へ配布される。これにより、フィルタリング定義の更新を担いうる者が増加し、更新処理の機会が増加する。
【００６５】
また、利用者をグループ化しておき、所属グループごとにフィルタリング定義更新情報を配布する。これにより、グループごとにフィルタリング定義の更新状況が異なるものとなり、グループごとにカスタマイズされた有害判定基準が形成され、グループの特性に適合したフィルタリングが可能となる。
【００６６】
なお、情報提供者端末２から送信されるフィルタリング定義更新情報が、全ての所属グループのフィルタリング定義へ反映されるべき内容である場合も想定される。この場合には、所定の契機または期間ごとに、フィルタリング管理サーバ１の管理者が、情報提供ログ情報ＤＢ１５で記憶するフィルタリング定義更新情報もしくはフィルタリング定義ＤＢ１６のフィルタリング定義１６０を検証し、全ての所属グループのフィルタリング定義への更新情報とすべき旨を判断した場合には、当該管理者が手作業で更新処理を行うようにする。
【００６７】
また、情報提供ログ情報ＤＢ１５に記憶され管理された情報提供ログ情報は、適宜、フィルタリング装置の利用料金などのサポートの対価を算出する際に参照され、所定の通常料金の金額に反映される。これにより、利用者からフィルタリング定義更新情報をフィルタリング管理サーバ１へフィードバックするインセンティブとなる。
【００６８】
以上、本発明をその実施の形態により説明したが、本発明はその主旨の範囲において種々の変形が可能であることは当然である。例えば、フィルタリング定義送信手段２２は、フィルタリング定義更新情報を送信する場合に、送信する情報を暗号化して送信するようにしてもよい。
【００６９】
【発明の効果】
以上説明したように、本発明によれば、フィルタリング定義更新情報が、特定の少数者ではなく、フィルタリング装置の利用者であって情報提供契約を結んだ者から広くかつ大量にフィルタリング管理サーバへフィードバックされるようにする。これによりフィルタリング管理サーバ側でのインターネット上の有害情報の収集作業の作業負担が軽減される。また、フィルタリング定義の更新機会が増加し、より迅速な更新を実現することができる。
【００７０】
また、本発明によれば、フィルタリング管理サーバは、フィルタリング定義の更新情報を生成した情報提供者端末と同一グループに所属するサポート対象者端末のフィルタリング装置へ送信する。これにより、グループの特性に応じたフィルタリング定義が形成されるようになり、フィルタリング装置は、より的確なフィルタリングを実行することが可能となる。
【図面の簡単な説明】
【図１】本発明の実施の形態におけるシステムの構成例を示す図である。
【図２】情報提供者ＤＢのデータ構成例を示す図である。
【図３】フィルタリング定義ＤＢのデータ構成例を示す図である。
【図４】サポート対象者ＤＢのデータ構成例を示す図である。
【図５】本発明の処理の流れを示す図である。
【符号の説明】
１  フィルタリング管理サーバ
１１  フィルタリング定義受信手段
１２  フィルタリングＤＢ更新手段
１３  更新情報送信手段
１４  情報提供者データベース（ＤＢ）
１５  情報提供ログ情報データベース（ＤＢ）
１６  フィルタリング定義データベース（ＤＢ）
１７  サポート対象者データベース（ＤＢ）
２  情報提供者端末
２０  フィルタリング装置
２１  フィルタリング定義更新手段
２２  フィルタリング定義送信手段
２３  フィルタリング定義記憶手段
３  サポート対象者端末
３０  フィルタリング装置
３１  フィルタリング定義更新手段
３２  更新情報受信手段
３３  フィルタリング定義記憶手段
４  ネットワーク
【図１】
0004031264.tif 000002
【図２】
0004031264.tif 000003
【図３】
0004031264.tif 000004
【図４】
0004031264.tif 000005
【図５】
0004031264.tif 000006